(57)【要約】【課題】  中継器が設けられて幹線が延長されたシステムであっても、線路異常を把握することができ、更に異常発生場所まで推定できる集合住宅インターホンシステムを提供する。【解決手段】  親機幹線Ｌ２ａの適宜部位に、伝送信号を変調・復調して復元して送出する中継器５が配置され、この中継器５には中継する信号の減衰量を測定する中継減衰量測定部５７と、測定した減衰量データを中継信号のヘッダに書き込むフレーマ５４とを有する一方、居室親機２は、受信した伝送信号の減衰量を測定する親機減衰量測定部２６を有し、親機ＣＰＵ２７が受信した伝送信号のヘッダに書き込まれている減衰量データに加えて、親機減衰量測定部２６が測定した減衰量データをヘッダに追加記載して返信信号を生成し、制御機４に返信する。【選択図】  図４
2015186117.tif 000002
【特許請求の範囲】
【請求項１】
来訪者が居住者を選択して呼び出すための集合玄関機と、前記集合玄関機からの呼び出しに応答するために集合住宅の各住戸に設置された居室親機と、前記集合玄関機と前記居室親機との間の通信を制御する制御機とを有し、前記制御機は前記居室親機から配設された親機幹線に分岐器を介して接続されて成る集合住宅インターホンシステムであって、
前記親機幹線の適宜部位に、伝送信号を変調・復調して復元して送出する中継器が配置されて成り、
当該中継器が、前記制御機から送信された伝送信号の減衰量を測定する中継減衰量測定部と、測定した減衰量データを中継する前記伝送信号のヘッダに書き込むヘッダセット部とを有すると共に、
前記居室親機が、受信した前記伝送信号の減衰量を測定する親機減衰量測定部と、受信した前記伝送信号の返信信号を生成して前記制御機へ返信する返信信号生成部とを有し、
前記返信信号生成部は、受信した前記伝送信号のヘッダに書き込まれている減衰量データに加えて、前記親機減衰量測定部が測定した減衰量データをヘッダに記載して返信信号を生成して返信する一方、
前記制御機には、受信した前記返信信号に書き込まれた減衰量データを基に、線路状態を判定する線路判定手段を備えたことを特徴とする集合住宅インターホンシステム。
【請求項２】
前記制御機は、任意の居室親機に対して伝送信号を生成する信号生成部と、線路異常発生を報知する報知部とを有し、
前記線路判定手段が、前記伝送信号を受けて前記居室親機から返信された信号のヘッダから減衰量データを読み取る減衰量読み取り部と、
入手した減衰量データから、前記制御機から前記中継器までの線路長、及び前記中継器から前記居室親機までの線路長を推定する第１線路長推定部と、
前記返信された信号の遅延量を測定する遅延量計測部と、
計測した前記遅延量から、前記制御機から前記居室親機までの線路長を推定する第２線路長推定部と、
前記前記第１線路長推定部と前記第２線路長推定部の推定値とから線路異常を検出する線路異常検出手段と、を具備して成ることを特徴とする請求項１記載の集合住宅インターホンシステム。
【請求項３】
前記制御機は、前記減衰量情報及び前記遅延量情報を基に、前記制御機から前記中継器までの線路長、及び前記制御機から前記居室親機までの線路長を推測し、推測結果に基づいて接続状態を画面表示するための画像データを作成する画像データ生成部を有することを特徴とする請求項２記載の集合住宅インターホンシステム。
【請求項４】
前記画像データ生成部は、前記線路異常検出手段が異常と判定した線路上の部位を所定のマークを付けて表示することを特徴とする請求項３記載の集合住宅インターホンシステム。
【請求項５】
前記中継器のヘッダセット部は、減衰量データを中継信号のヘッダに書き込む際、既に書き込まれている減衰量データがある場合は、当該データを残して追加書き込みすることを特徴とする請求項１乃至４の何れかに記載の集合住宅インターホンシステム。
【発明の詳細な説明】
【技術分野】
【０００１】
本発明は、集合住宅インターホンシステムに関し、特に機器間の通信を制御する制御機から居室親機までの線路に発生した異常を検出することができる集合住宅インターホンシステムに関する。
【背景技術】
【０００２】
従来の居室親機に至る線路の異常を検出する機能を備えたインターホンシステムは、例えば特許文献１に記載された構成のものがある。この特許文献１では、玄関子機にテスト信号を送信する機能を設けると共に、居室親機に受信したテスト信号の減衰量、伝送誤りの有無、伝送誤りの発生頻度等を検出して配線状態を判定する機能を設け、伝送誤りの発生頻度が高ければ線路の結線が不完全であると判定している。
【先行技術文献】
【特許文献】
【０００３】
【特許文献１】特開２０１３−１２８１９１号公報
【発明の概要】
【発明が解決しようとする課題】
【０００４】
しかしながら、上記特許文献１に記載されたインターホンシステムは、線路に中継器を持たない構成を前提としており、中継器が設けられている場合は減衰量が補正されてしまうため、適用できなかった。
また、減衰量と伝送誤とで線路異常を判定しているため、幹線が長すぎることで生じている異常なのか、結線の不完全が原因による異常なのか判別することができなかった。
【０００５】
そこで、本発明はこのような問題点に鑑み、中継器が設けられて線路が延長されたシステムであっても、線路異常を検出することができ、更に異常発生場所まで推定できる集合住宅インターホンシステムを提供することを目的としている。
【課題を解決するための手段】
【０００６】
上記課題を解決する為に、請求項１の発明は、来訪者が居住者を選択して呼び出すための集合玄関機と、集合玄関機からの呼び出しに応答するために集合住宅の各住戸に設置された居室親機と、集合玄関機と居室親機との間の通信を制御する制御機とを有し、制御機は居室親機から配設された親機幹線に分岐器を介して接続されて成る集合住宅インターホンシステムであって、親機幹線の適宜部位に、伝送信号を変調・復調して復元して送出する中継器が配置されて成り、当該中継器が、制御機から送信された伝送信号の減衰量を測定する中継減衰量測定部と、測定した減衰量データを中継する伝送信号のヘッダに書き込むヘッダセット部とを有すると共に、居室親機が、受信した伝送信号の減衰量を測定する親機減衰量測定部と、受信した伝送信号の返信信号を生成して制御機へ返信する返信信号生成部とを有し、返信信号生成部は、受信した伝送信号のヘッダに書き込まれている減衰量データに加えて、親機減衰量測定部が測定した減衰量データをヘッダに記載して返信信号を生成して返信する一方、制御機には、受信した返信信号に書き込まれた減衰量データを基に、線路状態を判定する線路判定手段を備えたことを特徴とする。
この構成によれば、制御機から伝送された信号を中継する際に、測定した減衰量データが中継器において中継する信号に書き込まれて居室親機に伝送され、この減衰量データに加えて居室親機での減衰量データが追加記載された返信信号が制御機に伝送されるため、線路上の全減衰量情報を制御機が集中管理できる。そして、制御機から中継器までの減衰量、中継器から居室親機までの減衰量も個別に把握できるため、親機幹線に中継器が介在されていても居室親機に至る正確な減衰量を制御機が把握でき、断線等の線路異常の発生を減衰量の変化から検出することができる。然も、線路途中の減衰量を中継器により把握できることで異常発生場所の特定もし易い。
【０００７】
請求項２の発明は、請求項１に記載の構成において、制御機は、任意の居室親機に対して伝送信号を生成する信号生成部と、線路異常発生を報知する報知部とを有し、線路判定手段が、伝送信号を受けて居室親機から返信された信号のヘッダから減衰量データを読み取る減衰量読み取り部と、入手した減衰量データから、制御機から中継器までの線路長、及び中継器から居室親機までの線路長を推定する第１線路長推定部と、返信された信号の遅延量を測定する遅延量計測部と、計測した遅延量から、制御機から居室親機までの線路長を推定する第２線路長推定部と、第１線路長推定部と第２線路長推定部の推定値とから線路異常を検出する線路異常検出手段と、を具備して成ることを特徴とする。
この構成によれば、制御機が居室親機から返信された信号に書き込まれた減衰量データを基に推定した線路長と、返信された信号の遅延量から推定した線路長とを比較して線路状態を判定するため、誤検出の防止に効果を奏する。そして、線路異常を検出した場合、それを報知することで速やかに線路異常の発生を認識できる。
【０００８】
請求項３の発明は、請求項２に記載の構成において、制御機は、減衰量情報及び遅延量情報を基に、制御機から中継器までの線路長、及び制御機から居室親機までの線路長を推測し、推測結果に基づいて接続状態を画面表示するための画像データを作成する画像データ生成部を有することを特徴とする。
この構成によれば、画像データ生成部が作成した画像を例えば居室親機のディスプレイに表示させれば、システムの接続状態や機器間の線路長を視覚で把握することができ、施工時やその後のメンテナンスに役立つ。
【０００９】
請求項４の発明は、請求項３に記載の構成において、画像データ生成部は、線路異常検出手段が異常と判定した線路上の部位を所定のマークを付けて表示することを特徴とする。
この構成によれば、異常発生場所をシステムの接続図上に表示するため、場所を容易に把握でき、対処し易い。
【００１０】
請求項５の発明は、請求項１乃至４の何れかに記載の構成において、中継器のヘッダセット部は、減衰量データを中継信号のヘッダに書き込む際、既に書き込まれている減衰量データがある場合は、当該データを残して追加書き込みすることを特徴とする。
この構成によれば、親機幹線に中継器が複数設置された場合でも、全ての中継器での減衰量データが伝送信号のヘッダに記録されるため、制御機が線路全体の減衰量を一括して把握でき、減衰量情報が不明確になることがない。
【発明の効果】
【００１１】
本発明によれば、中継する時点での信号の減衰量データが中継器において伝送信号に書き込まれて居室親機に伝送され、この減衰量データに加えて居室親機での減衰量データが追加記載された返信信号が居室親機から制御機に伝送されるため、全減衰量情報を制御機が集中管理できる。そして、制御機から中継器までの減衰量、中継器から居室親機までの減衰量も個別に把握できる。よって、親機幹線に中継器が介在されていても居室親機に至る正確な減衰量を制御機が把握でき、断線等の線路異常の発生を減衰量の変化から検出することが可能であり、然も線路途中の減衰量を中継器により把握できることで異常発生場所の特定も可能となる。
そして、衰量情報から推定した線路長と、返信信号の遅延量から推定した線路長とを比較して線路状態を判定することで、線路異常の発生場所を更に特定することが可能となる。
【図面の簡単な説明】
【００１２】
【図１】本発明に係る集合住宅インターホンシステムの一例を示す構成図である。
【図２】居室親機の回路ブロック図である。
【図３】制御機の回路ブロック図である。
【図４】中継器の回路ブロック図である。
【図５】制御機から居室親機に至る信号の流れを示すシーケンス図である。
【図６】制御機が把握した各居室親機の接続状態をディスプレイに表示した説明図である。
【発明を実施するための形態】
【００１３】
以下、本発明を具体化した実施の形態を、図面を参照して詳細に説明する。図１は本発明に係る集合住宅インターホンシステムの一例を示す構成図であり、１はエントランスに設置されて来訪者が訪問先の住戸を選択して居住者を呼び出すための集合玄関機、２は集合住宅の各住戸に設置されて集合玄関機１からの呼び出しに応答するための居室親機（第１居室親機２ａ〜第６居室親機２ｆ）、３は管理室に設置されて来訪者や居住者と通話するための管理室親機、４は機器間の通信や通話路を制御する制御機、５（５ａ，５ｂ）は幹線を延長するために信号を中継する中継器である。
【００１４】
集合玄関機１は制御機４に伝送線Ｌ１により接続されている。一方、居室親機２は、制御機４から親機幹線Ｌ２ａが延設され、この親基幹線Ｌ２ａ上に分岐器６を配置し、この分岐器６から親機伝送線Ｌ２ｂが引き出されて接続されている。また管理室親機３は伝送線Ｌ３を介して制御機４に接続されている。
そして、親機幹線Ｌ２ａには適宜位置に中継器５が接続されている。具体的に、ここでは制御機４から２番目の第２居室親機２ｂと３番目の第３居室親機２ｃの間に第１中継器５ａが配置され、４番目の第４居室親機２ｄと５番目の第５居室親機２ｅの間に第２中継器５ｂが配置されている。
【００１５】
以下、親機幹線Ｌ２ａと親機伝送線Ｌ２ｂを合わせて親機線路Ｌ２とし、制御機４から親機線路Ｌ２を介して居室親機２に送信する信号を下り信号、居室親機２から親機線路Ｌ２を介して制御機４に送信する信号を上り信号として説明する。
【００１６】
図２は居室親機２の回路ブロック図を示している。図２に示すように、居室親機２は、通話するためのマイク２１及びスピーカ２２、マイク２１及びスピーカ２２を制御する通話制御部２３、集合玄関機１に設けられた図示しないカメラの撮像映像を表示するディスプレイ２４、この表示映像を生成する映像処理部２５、親機線路Ｌ２を介して制御機４から受信した下り信号の減衰量を測定する減衰量測定部２６、制御機４から伝送された伝送信号を読み取って返信信号を作成すると共に、居室親機２全体を制御する親機ＣＰＵ２７、制御機４と通信する親機ＩＦ２８等を備えている。
【００１７】
図３は制御機４の回路ブロック図を示している。図３に示すように、制御機４は、居室親機２等の機器から伝送された上り信号から減衰量データを読み取る減衰量読み取り部４１、読み取った減衰量情報を基に線路長を推定する第１線路長推定部４２、返信された上り信号から遅延時間（遅延量）を計測する遅延量計測部４３、計測した遅延量から線路長を推定する第２線路長推定部４４、推定した線路長をシステム構成図上に表示するための画像データ生成部４５、線路異常発生を通知する報知部４６、通話路の制御や伝送信号の生成を制御し、更に制御機４全体を制御する制御機ＣＰＵ４７、居室親機２や管理室親機３と通信するための制御機第１ＩＦ４８、集合玄関機１と通信するための制御機第２ＩＦ４９等を備えている。
【００１８】
図４は中継器５の要部回路ブロック図を示し、制御機４から伝送された下り信号を中継するブロックのみ示し、上り信号を中継する回路は省略している。図４に示すように、制御機４から伝送された下り信号を調整する第１ＡＦＥ（アナログ・フロント・エンド）５１、信号を復調する復調器５２、フレーム内のデータを取り出すデフレーマ５３、フレーム内にデータをセットするフレーマ５４、信号を変調する変調器５５、送出する信号を調整すると共に、減衰分を補正して設定された出力電圧で下り信号を出力する第２ＡＦＥ５６、中継する下り信号の減衰量を計測する減衰量測定部５７、計測した減衰量データを中継する下り信号フレームのヘッダに書き込む制御を行うと共に、中継器５内の各回路を制御する中継器ＣＰＵ５８等を備えている。
【００１９】
この中継器５により、制御機４から伝送された下り信号である伝送信号は、変調及び復調が成されて復元されると共に、減衰量測定部５７が中継器５までの親機幹線Ｌ２ａにおける減衰量を測定する。そして、中継器ＣＰＵ５８の制御により、測定された減衰量データをフレーマ５４が伝送信号のヘッダに書き込んで送出される。尚、減衰量の計測は、制御機４が送出するフレーム信号の搬送波の設定された振幅（電圧）値を減衰量測定部５７が記憶しており、この電圧値に対する減少量が減衰量として計測される。
【００２０】
尚、制御機４が生成する伝送信号をはじめ、システム内で伝送される信号はフレーム信号であり、ヘッダの後に呼び出しデータ、通話音声データ、映像データ、制御データ等が組み込まれている。そして、ヘッダには、減衰量データを書き込む領域が予め割り当てられており、この領域に書き込まれる。
【００２１】
また、既に書き込まれた減衰量データが存在する場合、中継器ＣＰＵ５８はそのデータを削除すること無く、割り当てられている空き領域に追加記載する。
そのため、親機幹線Ｌ２ａに中継器５が複数設置されて信号が復元されても、中継器５で計測された減衰量データは全てヘッダに記録されるため、中継器５の存在にかかわらずまた中継器５の数に関わらず親機幹線Ｌ２ａ全体の減衰量を把握することが可能となる。
【００２２】
一方、居室親機２等から制御機４に伝送される上り信号に対しては、信号を変調・復調して復元するのみで減衰量データのセット等は行わない。
【００２３】
上記の如く構成された集合住宅インターホンシステムの動作は以下の様である。但し、集合玄関機１からの呼び出し、居室親機２からの応答する動作は従来と同様であるため説明を省略し、ここでは親機線路Ｌ２の状態を監視する機能について具体的に説明する。
制御機４から任意の居室親機２に対して伝送信号の送信が開始されると、親機幹線Ｌ２ａに伝送信号が送出される。例えば、この信号が第４居室親機２ｄに対して送信されたとすると、親機幹線Ｌ２ａ上で４個の分岐器６、１台の中継器５を介して伝送され、その後親機伝送線Ｌ２ｂを介して第４居室親機２ｄに伝送される。
【００２４】
図５はこの伝送信号の流れを示すシーケンス図であり、この図を参照して説明する。制御機４から送出された伝送信号は、まず２個の分岐器６を介して第１中継器５ａに伝送され、第１中継器５ａにおいて伝送されたフレーム信号（伝送信号）の復元が行われる。
その際、減衰分が増幅されて出力されると共に、減衰量測定部５７において測定された減衰量のデータがフレーマ５４においてフレーム信号のヘッダにセットされて送出される。
【００２５】
復元された下り信号は、その後２台の分岐器６を介して親機伝送線Ｌ２ｂに伝送され、第４居室親機２ｄで受信される。この信号を受信した第４居室親機２ｄでは、親機ＣＰＵ２７の制御により減衰量測定部２６が減衰量を測定し、測定された減衰量データが、返信信号として作成した上りのフレーム信号のヘッダに書き込まれる。
このとき、受信した下り信号に書き込まれていた減衰量データもコピーして書き込みが行われる。
【００２６】
こうして第４居室親機２ｄにおいて作成されたフレーム信号は、親機ＣＰＵ２７の制御により、受信した時点から所定のタイミングで制御機４に返信され、上り信号として下り信号とは逆の経路で親機線路Ｌ２を介して制御機４へ伝送される。途中、中継器５において信号が復元されて伝送される。
尚、このとき返信される信号は、受信してから例えば１００ｍｓのタイミングで送信しても良いし、時間を待たず０秒で返信しても良い。或いは制御機４からの要求信号を受けてから返信しても良い。
【００２７】
この上り信号である返信信号を受信した制御機４は、次の２通りで線路長を推定する。先ず、受信したフレーム信号のヘッダに記載されている減衰量データから第４居室親機２ｄまでの線路長を推定する。具体的に、制御機４は、個々の居室親機２までの基本線路情報が予め登録されて制御機ＣＰＵ４７が記憶している。そのため、第４居室親機２ｄまでの親機線路Ｌ２においては、４台の分岐器６、１台の中継器５が存在していることを制御機ＣＰＵ４７は把握している。
【００２８】
更に制御機ＣＰＵ４７は、分岐器６の１台あたりの減衰量及び遅延量、中継器５の１台あたりの遅延量、親機幹線Ｌ２ａ及び親機伝送線Ｌ２ｂの単位長さあたりの減衰量及び遅延量の標準値を記憶している。
制御機ＣＰＵ４７は、これらのデータと返信信号から読み取った減衰量データを基に、第１線路長推定部４２に線路長を推定させる。第１線路長推定部４２では、制御機４から第４居室親機２ｄに至る親機幹線Ｌ２ａの線路長と親機伝送線Ｌ２ｂの線路長とを合わせた親機線路Ｌ２の線路長を推定する。
【００２９】
また制御機ＣＰＵ４７は、遅延量計測部４３に返信信号の遅延量を測定させて、第２線路長推定部４４に線路長を推定させる。遅延量計測部４３は、制御機４が伝送信号の送信を開始した時点から、その返信信号を受信するまでの時間を計測する。
上述したように、制御機ＣＰＵ４７は送信先の居室親機２との間の分岐器６の数、中継器５の数を把握しているのに加えて、各機器の遅延量情報を把握しており、この情報を基に、第２線路長推定部４４は、計測した総遅延量（遅延時間）から分岐器６の遅延時間、中継器５の遅延時間、居室親機２の受信してから返信するまでの所定時間の標準値を削除し、残った遅延時間から線路長を推定する。
【００３０】
制御機ＣＰＵ４７は、こうして減衰量から求めた線路長と、遅延量から求めた線路長を比較する。双方の値が所定の誤差以内で一致していれば、線路異常はないと判断する。
しかし、双方の値に一定量以上の差が発生した場合は線路異常発生と判断し、報知部４６を報知動作させる。例えば、減衰量から推定した線路長が遅延量から推定した線路長より長い場合は、異常な減衰が発生していると判断し、断線発生と判断する。この場合、異常発生点の検出は次のように行われる。
【００３１】
制御機ＣＰＵ４７は、中継器５で書き込まれた情報と居室親機２で書き込まれた情報に加えて、他の居室親機２との間の線路長情報を加味して判断する。例えば、制御機４から第５居室親機２ｅまでの親機線路Ｌ２に異常が無ければ、異常は４番目の分岐器６から第４居室親機２ｄまでの親機伝送線Ｌ２ｂにおいて発生したと判断する。
こうして、線路異常を検出した場合は、親機幹線Ｌ２ａ上の異常か、親機伝送線Ｌ２ｂ上の異常か判別することが可能であり、これらの情報から場所を推定する。
【００３２】
一方、遅延量から推定した線路長の方が長い場合は、親機幹線Ｌ２ａ等が長すぎる等の判断がなされ、施工時のチェックに役立つ。
【００３３】
この線路長の推定は、個々の居室親機２までの親機線路Ｌ２に対して実施されるし、制御機４と管理室親機３の間の線路長の推定、制御機４と集合玄関機１の間の線路長の推定も同様に実施され、線路状態が監視される。
【００３４】
個々の機器に対して線路長の推定が終了したら、推定した線路長情報に加えて、異常が検出された場合はその異常発生推定場所を表示するためのデータが、制御機ＣＰＵ４７の制御により画像データ生成部４５で作成される。
図６は、任意の居室親機２において所定の表示操作することでディスプレイ２４に接続状態を表示させた画面説明図を示している。制御機４と個々の居室親機２の接続関係は予め入力された構成が表示され、図６において表示されている機器毎の線路長は、上述した２つの推定部４２，４４が推定した長さが表示される。また、監視結果、異常を検出した場所情報が×印で表示されている。
【００３５】
このように、制御機４から伝送された信号を中継する際に、測定した中継信号の減衰量データが中継器５において信号に書き込まれて居室親機に伝送されるし、更に居室親機２での減衰量データが追加記載された返信信号が制御機４に伝送されるため、線路上の全減衰量情報を制御機４が集中管理できる。そして、制御機４から中継器５までの減衰量、中継器５から居室親機２までの減衰量も個別に把握できるため、親機幹線Ｌ２ａに中継器５が介在されていても居室親機２に至る正確な減衰量を制御機４が把握でき、断線等の線路異常の発生を減衰量の変化から検出することができる。然も、線路途中の減衰量を中継器５により把握できることで異常発生場所の特定もし易い。
また、制御機４が居室親機２から返信された信号に書き込まれた減衰量データを基に推定した線路長と、返信された信号の遅延量から推定した線路長とを比較して線路状態を判定するため、誤検出の防止に効果を奏する。また、線路異常を検出した場合、それを報知することで速やかに線路異常の発生を認識できる。
更に、画像データ生成部４５が作成した画像を居室親機２のディスプレイ２４に表示させることで、システムの接続状態や機器間の線路長を視覚で把握することができ、施工時やその後のメンテナンスに役立つし、異常発生場所をシステムの接続図上に表示するため、場所を容易に把握でき対処し易い。
そして、親機幹線Ｌ２に中継器５が複数設置されても、個々の中継器５までの減衰量データを制御機４で把握でき、線路の減衰量情報が不明確になることがない。
【００３６】
尚、上記実施形態では、信号の減衰量と遅延量との双方から推定した線路長を基に線路異常を検出しているが、遅延量から減衰量を推定し、測定した減衰量と推定した減衰量とを基に線路異常を検出しても良い。
また、中継器５を２台設置したシステムとしているが、中継器５の数は親機幹線Ｌ２の長さに応じて増減されるもので、中継器の数に関わらず本発明のシステムは良好に構成できる。
更に、機器の接続状態の表示を居室親機２で行う構成としたが、制御機４にディスプレイを設けても良いし、管理室親機３で表示させても良い。
【符号の説明】
【００３７】
１・・集合玄関機、２・・居室親機、４・・制御機、５・・中継器、６・・分岐器、２４・・ディスプレイ、２６・・減衰量測定部（親機減衰量測定部）、２７・・親機ＣＰＵ（返信信号生成部）、４１・・減衰量読み取り部、４２・・第１線路長推定部、４３・・遅延量計測部、４４・・第２線路長推定部、４５・・画像データ生成部、４６・・報知部、４７・・制御機ＣＰＵ（信号生成部、線路異常検出手段）、５２・・復調器、５３・・デフレーマ、５４・・フレーマ（ヘッダセット部）、５５・・変調器、５７・・減衰量測定部（中継減衰量測定部）、５８・・中継器ＣＰＵ、Ｌ２・・親機線路、Ｌ２ａ・・親機幹線、Ｌ２ｂ・・親機伝送線。
【図１】
2015186117.tif 000003
【図２】
2015186117.tif 000004
【図３】
2015186117.tif 000005
【図４】
2015186117.tif 000006
【図５】
2015186117.tif 000007
【図６】
2015186117.tif 000008